(57)【要約】      （修正有）【課題】サーバ内の空気流を変化させるための基部およびアームを含む可動装置を提供する。【解決手段】シャーシ２００Ａにおいて、装置２６０の基部（セグメント２６０ｄ）は、シャーシ本体の壁（上縁部１１６）と連結する。アーム（セグメント２６０ａ、２６０ｂ、２６０ｃ）は、複数の可動セグメントを含む。装置の位置によって、サーバーシャーシ内の空気流が変化する。装置は、サーバーシャーシ内のスロット１１０に隣接し、スロットの高さ１１７および／またはスロットで受容されるコンピュータコンポーネント１２０のサイズに基づいて、複数の位置の間で調整する。【選択図】図２Ａ
2020191060.tif 000002
【特許請求の範囲】
【請求項１】
サーバー内の空気流を変化させるための装置であって、前記装置が、
前記サーバーの壁と連結するように構成される基部と、
前記サーバー内のスロットに対応するアームであって、前記スロットの第１の縁部に隣接して位置付けられるアームとを備え、
前記アームは、前記スロットおよび／または前記スロットに受容されるコンピュータコンポーネントの高さに基づいて、複数の位置の間で調整するように構成される、
装置。
【請求項２】
前記アームは、屈曲可能な複数のセグメントを備え、前記複数のセグメントのうちの各セグメントは、前記複数のセグメントのうちの残りのセグメントから独立して曲がるように構成される、請求項１記載の装置。
【請求項３】
前記複数の位置は、前記アームの端部セグメントが前記スロットの、前記第１の縁部と対向する第２の縁部に当接するまで、前記アームが前記第１の縁部から離れて延在する、静止位置を含み、前記アームは、前記スロットにコンピュータコンポーネントが受容されていないときに、前記静止位置に移行する、請求項２記載の装置。
【請求項４】
前記複数の位置は、前記アームの端部セグメントが、前記スロット内に収容される第１のサイズのコンピュータコンポーネントに当接するまで、前記アームが前記第１の縁部から離れて延在する、部分的に伸長した位置を含み、前記アームは、前記スロットが前記第１のサイズのコンピュータコンポーネントを受容するときに、前記部分的に伸長した位置に移行する、請求項２記載の装置。
【請求項５】
シャーシ本体と、
複数のスロットであって、前記複数のスロットのうちの各スロットは、少なくとも１つのコンピュータコンポーネントを受容するように構成される、複数のスロットと、
前記シャーシ本体に収容され、前記シャーシ本体を通る空気流を制御するための装置と
を備えるサーバーであって、
前記装置は、
前記シャーシ本体の壁と連結するように構成される基部と、
複数のアームと
を備え、
前記複数のアームのうちの各アームは、前記複数のスロットのうちのスロットに対応し、対応するスロットの第１の縁部に隣接して位置付けられ、各アームは、前記対応するスロットおよび／または前記対応するスロットで受容されるコンピュータコンポーネントの高さに基づいて、複数の位置の間で調整するように構成される、
サーバー。
【請求項６】
前記複数のアームの各アームは、複数の屈曲可能なセグメントを備え、前記複数の屈曲可能なセグメントのうちの各セグメントは、前記複数の屈曲可能なセグメントのうちの残りのセグメントから独立して曲がるように構成される、請求項５記載のサーバー。
【請求項７】
シャーシ本体を通る空気流を制御するための装置であって、
前記装置が、
シャーシ本体の壁と連結するように構成される基部と、
複数のアームと
を備え、
前記複数のアームのうちの各アームは、前記シャーシ本体内のスロットに対応し、各アームは、対応するスロットの第１の縁部に隣接して位置付けられ、各アームは、前記対応するスロットおよび／または前記対応するスロットで受容されるコンピュータコンポーネントの高さに基づいて、複数の位置の間で調整するように構成される、
装置。
【請求項８】
前記複数のアームのうちの各アームは、複数の屈曲可能なセグメントを備え、前記複数の屈曲可能なセグメントのうちの各セグメントは、前記複数の屈曲可能なセグメントのうちの残りのセグメントから独立して曲がるように構成される、請求項７記載の装置。
【請求項９】
前記複数の位置は、静止位置を含み、前記複数のアームのうちのアームが前記静止位置にあるとき、前記アームは、前記アームの端部セグメントが、前記対応するスロットの、前記第１の縁部に対向する第２の縁部に当接するまで、前記第１の縁部から離れて延在し、前記アームは、前記対応するスロットにコンピュータコンポーネントが受容されないときに、前記静止位置に移行する、請求項８記載の装置。
【請求項１０】
前記複数の位置は、部分的に伸長した位置を含み、前記複数のアームのうちのアームが前記部分的に伸長した位置にあるときに、前記アームは、前記アームの端部セグメントが、前記対応するスロット内に収容される第１のサイズのコンピュータコンポーネントに当接するまで、前記第１の縁部から離れて延在し、前記アームは、前記対応するスロットが前記第１のサイズのコンピュータコンポーネントを受容するときに、前記部分的に伸長した位置に移行する、請求項８記載の装置。
【発明の詳細な説明】
【技術分野】
【０００１】
本開示は、サーバ内の空気流を変化させるための可動装置に関する。
【背景技術】
【０００２】
最新のコンピューティングシステムは、ＧＰＵ、ＣＰＵ、ＲＡＭなどの多数のコンピュータコンポーネントを備えている。コンピュータコンポーネントがより高速かつ強力になると（たとえば、フォームファクターがより小さくなり、ＧＰＵまたはＣＰＵがより高速になると）、コンピュータコンポーネント内でより多くの熱が生成される。適切な冷却を行わないと、過熱が発生し、コンポーネントに物理的な損傷を生じさせる可能性があり、過熱は、システム障害やデータ損失につながる可能性さえある。
【０００３】
従来のコンピュータシャーシには、コンピュータコンポーネントを保持するためのスロットが設けられ、スロットは、典型的には、ファンが空気流をコンピュータコンポーネントに向けることができるように、冷却ファンに隣接している。スロットが、スロット全体を埋めるコンピュータコンポーネントを受け取ると、空気流は、コンピュータコンポーネントに適切に向けられる。しかし、スロットが、スロットよりも小さいコンピュータコンポーネントを受容すると、空気流は、コンピュータコンポーネントとスロットの縁部との間の空きスペースに向け直される。その結果、空気流の一部は、コンポーネントではなく空きスペースに向かって流れるため、空気流は、コンピュータコンポーネントを最大限に冷却しない。
【０００４】
シャーシが、並んだ複数のスロットを有し、冷却ファンが、すべてのスロットに共通である場合、問題は悪化する可能性がある。そうすると、空気流は、コンピュータコンポーネント上を流れるのではなく、コンピュータコンポーネントのない空きスペースに向き直される。
【０００５】
したがって、コンピュータコンポーネントの効率的な冷却を促進するシステムが必要とされる。
【先行技術文献】
【特許文献】
【０００６】
【特許文献１】米国特許出願公開第２０１００１６５５６８号明細書
【特許文献２】米国特許第９５０１１０９号明細書
【発明の概要】
【０００７】
本開示の様々な例は、サーバー内の空気流を変化させるための装置に向けられている。本開示の第１の実施形態は、基部およびアームを備える装置を提供する。基部は、サーバーの壁と連結し得る。アームは、サーバー内のスロットに対応でき、スロットの第１の縁部に隣接して位置付けられ得る。アームは、スロットおよび／またはスロットで受容されるコンピュータコンポーネントの高さに基づいて、複数の位置の間で調整することができる。
【０００８】
第１の実施形態のいくつかの例では、アームは、複数の屈曲可能なセグメントを含む。各セグメントは、任意の角度で曲がり、他のセグメントから独立して曲がる。
【０００９】
いくつかの例では、複数の位置は、静止位置を含む。静止位置では、アームは、アームの端部セグメントがスロットの第２の縁部に当接するまで、基部および第１の縁部から離れて延在する（第２の縁部は第１の縁部に対向する）。スロットにコンピュータコンポーネントが受容されていない場合、アームは、静止位置に調整する。
【００１０】
いくつかの例では、複数の位置は、部分的に伸張した位置を含む。部分的に伸長した位置では、アームは、アームの端部セグメントがスロット内に収容される第１のサイズのコンピュータコンポーネントに当接するまで、基部および第１の縁部から離れて延在する。スロットが第１のサイズのコンピュータコンポーネントを受容すると、アームは、部分的に伸張した位置に調整する。部分的に伸張した位置のいくつかの例では、端部セグメントは、コンピュータコンポーネントに隣接して位置する。
【００１１】
いくつかの例では、複数の位置は、アームがスロットの第１の縁部に隣接して位置する完全に伸張した位置を含む。スロットが第２のサイズのコンピュータコンポーネントを受容すると、アームは、完全に伸張した位置に調整する。
【００１２】
本開示の第２の実施形態は、シャーシ（chassis）本体、複数のスロット、および装置を有するサーバーを提供する。複数のスロットのうちの各スロットは、少なくとも１つのコンピュータコンポーネントを受容できる。装置は、シャーシ本体に収容でき、シャーシ本体を通る空気流を制御できる。装置は、基部および複数のアームを有し得る。基部は、シャーシ本体の壁と連結できる。複数のアームのうちの各アームは、複数のスロットのうちのスロットに対応することができ、対応するスロットの第１の縁部に隣接することができる。各アームは、対応するスロットおよび／または対応するスロットで受容されるコンピュータコンポーネントの高さに基づいて、複数の位置の間で調整することができる。第２の実施形態の追加の例は、第１の実施形態に関して上述したとおりであり得る。
【００１３】
本開示の第３の実施形態は、シャーシ本体を通る空気流を制御するための装置を提供する。装置は、シャーシ本体に収容でき、シャーシ本体を通る空気流を制御できる。装置は、基部および複数のアームを有し得る。基部は、シャーシ本体の壁と連結することができる。複数のアームのうちの各アームは、複数のスロットのうちのスロットに対応することができ、対応するスロットの第１の縁部に隣接することができる。各アームは、対応するスロットおよび／または対応するスロットで受容されるコンピュータコンポーネントの高さに基づいて、複数の位置の間で調整することができる。第３の実施形態の追加の例は、第１の実施形態に関して上述したとおりであり得る。
【００１４】
上記概要は、本開示の各実施形態またはすべての態様を表すことを意図するものでない。むしろ、上述の概要は単に、本明細書に記載した新たな態様および特徴の一部の例を提供する。本開示の上記特徴および利点、ならびに他の特徴および利点は、添付図面および添付の特許請求の範囲とともに解されると、本発明を行うための代表的な実施形態および形態の以下の詳細な説明から容易に明らかになるであろう。
【００１５】
添付の図面は、本発明の実施形態を例示し、説明とともに、本発明の原理を説明および例示するのに役立つ。図面は、例示的な実施形態の主要な特徴を図式的に示すことを意図している。図面は、実際の実施形態のすべての特徴または描かれた要素の相対的な寸法を描くことを意図しておらず、縮尺通りに描かれていない。
【図面の簡単な説明】
【００１６】
【図１】（先行技術）先行技術と同様に、シャーシ内の従来のコンピュータコンポーネントスロットを示している。
【図２Ａ】本開示の実施形態による、コンピュータコンポーネントスロット内の空気流を変化させるための例示的な装置を示す。
【図２Ｂ】本開示の実施形態による、図２Ａに示される例示的な装置の別の位置を示す。
【図３Ａ】本開示の実施形態による、複数のスロットを備えるサーバーシャーシ内の空気流を変化させるための例示的な装置を示す。
【図３Ｂ】本開示の実施形態による、図３Ａの例示的な装置の側面図を示す。
【発明を実施するための形態】
【００１７】
本発明は、添付の図面を参照して説明されており、同様のまたは同等の要素を示すために、図面全体を通して同様の参照番号が使用されている。図は縮尺通りに描かれておらず、単に本発明を説明するために提供されている。本発明のいくつかの態様は、例証のための応用例を参照して以下に説明される。本発明の完全な理解を提供するために、多数の特定の詳細、関係、および方法が記載されていることを理解されるべきである。しかし、関連分野の当業者は、特定の詳細の１つまたは複数なしで、または他の方法で本発明を実施できることを容易に認識するであろう。他の例では、本発明を曖昧にすることを避けるために、周知の構造または動作は詳細に示されていない。いくつかの行為は異なる順序でおよび／または他の行為もしくは事象と同時に発生する可能性があるため、本発明は、行為または事象の例示された順序によって限定されない。さらに、本発明による方法論を実施するために、例示されたすべての行為または事象が必要とされるわけではない。
【００１８】
本開示は、サーバーシャーシ用の例示的な装置を対象とする。装置の位置によって、サーバーシャーシ内の空気流が変化する。装置は、サーバーシャーシ内のスロットに隣接され得る。装置は、スロットの高さおよび／またはスロットで受容されるコンピュータコンポーネントのサイズに基づいて、複数の位置の間で調整する。装置は、基部およびアームを含む。基部は、シャーシ本体の壁と連結することができ、アームは、複数の可動セグメントを含むことができる。複数の可動セグメントは、スロット内に受容されるコンピュータコンポーネント上に空気流を向けるようにアームを構成する。したがって、装置は、コンピュータコンポーネントの縁部とスロットの縁部との間の空気流の漏出を低減する。
【００１９】
図１は、先行技術による従来のシャーシ１００を示す。シャーシ１００は、前縁部１１２、後縁部１１４、上縁部１１６、および底縁部１１８を有するスロット１１０と、コンピュータコンポーネント１２０と、鉄フレーム１３０と、空気流１４０と、空気流分岐１５０ａおよび１５０ｂとを含む。
【００２０】
スロット１１０は、コンピュータコンポーネント１２０を受容する。コンピュータコンポーネント１２０は、図１では特定のサイズを有するように示されているが、コンピュータコンポーネントの幅が上縁部１１６と底縁部１１８との間の距離よりも小さい限り、従来のシャーシ１００によって任意のコンピュータコンピュータコンポーネントが受容され得る。図１は、スロット１１０がコンピュータコンポーネント１２０を受容するときに、コンピュータコンポーネント１２０とスロット１１０の上縁部１１６との間に空きスペースがあることを示している。鉄フレーム１３０は、スロット１１０の前縁部１１２からコンポーネント１２０およびスロット１１０の後縁部１１４に向かって空気流１４０を導く。図１は、空気流１４０が上部１５０ａと底部１５０ｂに分岐することを示しており、空気流の大部分１５０ａは、コンピュータコンポーネント１２０とスロット１１０の上縁部１１６との間の空きスペースでスロット１１０を出る。空気流のこの上部１５０ａは、コンピュータコンポーネント１２０の冷却に寄与しない。したがって、鉄フレーム１３０によってスロット１１０に向けられた空気流１４０の大部分は浪費される。
【００２１】
先行技術の制限に応じて、本開示は、サーバーシャーシ内で空気流を方向付ける装置を提供する。図２Ａは、本開示の実施形態による、そのような装置を有する例示的なシャーシ２００Ａを示す。シャーシ２００Ａは、図１のシャーシ１００と同様の構成要素および符号を含む。加えて、シャーシ２００Ａは、複数のセグメント２６０ａ、２６０ｂ、２６０ｃ、および２６０ｄを有する装置２６０と、向け直された気流２８０とを含む。
【００２２】
装置２６０は、複数のセグメント２６０ａ、２６０ｂ、２６０ｃ、および２６０ｄを有し得る。セグメント２６０ｄは、装置２６０をシャーシ２００Ａの上縁部１１６に連結する基部であり得る。たとえば、セグメント２６０ｄは、Ｖｅｌｃｏ（商標）、接着剤、ねじ、雄および雌コネクタ、テープ、ならびに／または当業者によって企図される他の機械的コネクタによって、上縁部１１６に永久的または取り外し可能に固定され得る。残りのセグメント２６０ａ、２６０ｂ、および２６０ｃは、装置２６０のアームであり得る。装置２６０は、スロット１１０の前縁部１１２と後縁部１１４との間の距離１１３よりも短い長さを有し得る。装置２６０は、スロット１１０の上縁部１１６と底縁部１１８との間の距離１１７と同じ、またはそれより長い長さを有し得る。４つのセグメント２６０ａ、２６０ｂ、２６０ｃ、および２６０ｄが図２Ａに示されているが、装置２６０は、少なくとも２つの、基部のための１つのセグメントおよびアーム部のための１つのセグメントがある限り、任意の数のセグメントを有し得る。
【００２３】
すべてのセグメント２６０ａ、２６０ｂ、２６０ｃ、および２６０ｄは、互いに対して曲がることができ、互いに独立して曲がることができる。たとえば、セグメント２６０ａ、２６０ｂ、２６０ｃ、および２６０ｄは、接合可能、旋回可能、または屈曲可能であり得る。いくつかの例では、装置２６０は、弾性、可撓性、屈曲性、または形状記憶特性を有する材料で作成することができる。さらに、各セグメント２６０ａ、２６０ｂ、２６０ｃ、２６０ｄは、任意の角度で曲がることができる。
【００２４】
図２Ａは、部分的に伸長した位置にある装置２６０を示している。部分的に伸長した位置では、アーム部（セグメント２６０ａ、２６０ｂ、および２６０ｃ）は、セグメント２６０ａがコンピュータコンポーネント１２０の高さ１２１でコンピュータコンポーネント１２０に当接するまで、基部２６０ｄから離れて延在する。したがって、装置２６０は、（１）鉄フレーム１３０と、（２）コンピュータコンポーネント１２０とスロット１１０の上縁部１１６との間の空きスペースと、の間の障壁を形成する。セグメント２６０ａは、コンピュータコンポーネント１２０に対して同一平面に置くことができる。したがって、鉄フレーム１３０によって方向付けられた空気流１４０は、コンピュータコンポーネント１２０に向かってまっすぐに向け直される（矢印２８０で示す）。
【００２５】
図２Ａは、セグメント２６０ａがコンピュータコンポーネント１２０と同一平面上にあり、セグメント２６０ｃがスロット１１０の上縁部１１６と同一平面上にある部分的に伸長した位置を示す。部分的に伸長した位置のいくつかの例では、セグメント２６０ａの先端部２６１のみがコンピュータコンポーネント１２０に隣接でき、セグメント２６０ｄの先端部２６２のみがスロット１１０の上縁部１１６に隣接できる（たとえば、そのような位置は、図３Ｂの要素３８０ｂによって示されている）。
【００２６】
（図３Ｂの要素３８０ａでさらに示される）いくつかの例では、装置２６０は、セグメント２６０ａがスロット１１０の底縁部１１８に当接する静止位置にあり得る。たとえば、装置２６０は、スロット１１０がコンピュータコンポーネント１２０などのコンピュータコンポーネントを受容するまで、静止位置にあり得る。スロット１１０がコンピュータコンポーネント１２０を受容すると、装置２６０は、図２Ａに示されるように、部分的に伸長した位置にシフトすることができる。たとえば、ユーザーは、装置２６０をその位置間で移動させることができる。
【００２７】
全体として、図２Ａは、空気流１４０が浪費されないように、装置２６０が空気流を向け直す（矢印２８０）ことができることを示している。したがって、装置２６０は、コンピュータコンポーネント１２０（またはスロット１１０に装填されたときの任意のコンポーネント）のより効率的な冷却を確実にする。
【００２８】
図２Ｂは、本開示の別の実施形態による例示的なシャーシ２００Ｂを示す。シャーシ２００Ｂは、図２Ａのシャーシ２００Ａと同様の構成要素および符号を含む。加えて、シャーシ２００Ｂは、第２のサイズのコンピュータコンポーネント２７０を含む。
【００２９】
図２Ｂは、装置２６０の完全に伸長した位置を示している。コンピュータコンポーネント２７０は、コンピュータコンポーネント２７０とスロットの縁部１１６および１１８との間に空きスペースなしでスロット１１０全体を実質的に満たすので、装置２６０は、空気流を向け直す必要がない。したがって、装置２６０は、すべてのセグメント２６０ａ、２６０ｂ、２６０ｃ、および２６０ｄがコンピュータコンポーネント２７０およびスロット１１０の上縁部１１６に隣接して位置する完全に伸長した位置に移動することができる。
【００３０】
図２Ａ〜２Ｂは、３つの位置（静止位置、部分的に伸長した位置、および完全に伸長した位置）を有する装置２６０を示しているが、装置２６０は、任意の数の位置を有することができる。装置２６０は、コンピュータコンポーネントのサイズおよびスロット１１０のサイズに応じて、位置間を移動することができる。いくつかの例では、装置２６０の部分的に伸長した位置は、スロットにより受容されるコンピュータコンポーネントの高さに応じて、任意の高さにすることができる。
【００３１】
本開示のいくつかの例では、装置２６０は、特定の位置に向かって付勢され得る。たとえば、装置２６０は、装置２６０を静止位置に向かって付勢する形状記憶材料で作製され得る。
【００３２】
図３Ａは、本開示の実施形態による例示的なシャーシ３００Ａを示す。シャーシ３００Ａは、第１のサイズのコンピュータコンポーネント１２０と、第２のサイズのコンピュータコンポーネント２７０と、基部３２０および複数のアーム３３０ａ、３３０ｂ、３３０ｃ、３３０ｄ、・・・３３０ｎを有する空気ダクト３１０と、スロット３４０と、空気流３５０とを含む。
【００３３】
シャーシ３００Ａは、各スロット３４０内で空気流を方向付けるために複数のスロット３４０にわたって延びる空気ダクト３１０を提供する。各スロット３４０は、コンピュータコンポーネント（たとえば、コンピュータコンポーネント１２０または２７０のいずれか）を受容する。各スロット３４０は、１つのコンピュータコンポーネントを受容するように示されているが、いくつかの例では、スロット３４０は、任意の数のコンピュータコンポーネントを受容することができる。空気ダクト３１０は、基部３２０と、複数のアーム３３０ａ、３３０ｂ、３３０ｃ、３３０ｄ、・・・３３０ｎとを有する。各アーム３３０ａ、３３０ｂ、３３０ｃ、３３０ｄ、・・・３３０ｎは、１つのコンピュータコンポーネント１２０または２７０に対応する。各スロット３４０は、１つの対応するアーム３３０ａ、３３０ｂ、３３０ｃ、３３０ｄ、・・・３３０ｎを有する。
【００３４】
各アーム３３０ａ、３３０ｂ、３３０ｃ、３３０ｄ、・・・３３０ｎは、図２Ａ〜２Ｂの装置２６０に関して上記で提供された通りであり得る。たとえば、各アーム３３０ａ、３３０ｂ、３３０ｃ、３３０ｄ、・・・３３０ｎは、複数の屈曲可能なセグメントを有し得る。図３Ａは、各アーム３３０ａ、３３０ｂ、３３０ｃ、３３０ｄ、・・・３３０ｎが、対応するスロット３４０に受容されるコンピュータコンポーネントに基づいて、残りのアームから独立して調整可能であることを示す。たとえば、コンピュータコンポーネント１２０を保持するスロットに対応するアームは、（図２Ａに示されように）部分的に伸長した位置にあり得る。コンピュータコンポーネント２７０を保持するスロットに対応するアームは、（図２Ｂに示されるように）完全に伸長した位置にあり得る。
【００３５】
図３Ｂは、本開示の実施形態による、例示的なシャーシ３００Ｂの側面図を示す。シャーシ３００Ｂは、図１のシャーシ１００および図３Ａのシャーシ３００Ａと同様の構成要素および符号を含む。加えて、シャーシ３００Ｂは、静止位置にある第１のアーム３８０ａ、部分的に伸長した位置にある第２のアーム３８０ｂ、および完全に伸長した位置にある第３のアーム３８０ｃを含む。図３Ｂは、異なるコンピュータコンポーネント１２０および２７０が、どのように、コンピュータコンポーネントのサイズに対応する異なる位置３８０ａ、３８０ｂ、および３８０ｃにアームを有するかを示している。たとえば、アーム３８０ａは、コンピュータコンポーネントが受容されていないスロット１１０に対応し、アーム３８０ｂは、コンピュータコンポーネント１２０に対応し、アーム３８０ｃは、コンピュータコンポーネント２７０に対応する。さらに、各アーム３８０ａ、３８０ｂ、および３８０ｃは、受容されるコンピュータコンポーネントのサイズに応じた位置にあり得る。したがって、図３Ｂは、コンピュータコンポーネントが受容されていないために静止位置にあるアーム３８０ａを示しており、アーム３８０ｂは、コンポーネント１２０を受容した後、部分的に伸長した位置にあり、アーム３８０ｃは、コンポーネント２７０を受容した後、完全に伸長した位置にある。各アーム３８０ａ、３８０ｂ、および３８０ｃは、異なるサイズのコンピュータコンポーネントを受容した場合、さらに異なる構成にシフトすることができる。
【００３６】
本発明の種々の実施例を上述したが、それらは限定でなく、例としてのみで提示していると理解されるべきである。本発明の趣旨または範囲から逸脱することなく、本明細書における開示に応じて、開示された実施例に対する数多くの変更を行うことが可能である。よって、本発明の幅および範囲は、上記実施例のいずれによっても限定されるべきでない。むしろ、本発明の範囲は、以下の特許請求の範囲、およびそれらの均等物に応じて規定されるべきである。
【００３７】
本発明を１つまたは複数の実現形態に関して例証し、説明したが、本明細書および添付図面を読み、理解することにより、同等の変更および修正が当業者には想起されるであろう。さらに、本発明の特定の特徴を、いくつかの実現形態のうちの１つのみに関して開示している場合があるが、そうした特徴を、いずれの所定の、または特定の用途にとって望ましく、有利であり得るように、他の実現形態の１つまたは複数の他の特徴と組み合わせることができる。
【００３８】
本明細書において使用される用語は、特定の実施例を説明する目的のためであり、本発明の限定であることを意図するものでない。本明細書において使用されるように、単数形「ａ」、「ａｎ」、および「ｔｈｅ」は、前後関係が明らかにそうでないことを示さない限り、複数形も含むことを意図している。さらに、「含んでいる（including）」、「含む（includes）」、「有している（having）」、「有する（has）」、「有する（with）」の用語、またはそれらの変形が詳細な説明および／または特許請求の範囲において使用されている範囲内で、そうした用語は、「備えている（comprising）」の用語と同様に包含的であることを意図している。
【００３９】
別途明記しない限り、本明細書において使用される、（科学技術用語を含む）用語はすべて、当業者によって通常理解されている意味と同じ意味を有している。さらに、通常使用されている辞書において定義されている用語などの用語は、関連技術の意味合いでそれらの意味と一致する意味を有しているものと解されるべきであり、本明細書にそのように明記していない限り、理想化された、または過度に形式的な意味で解されないものとする。
【図１】
2020191060.tif 000003
【図２Ａ】
2020191060.tif 000004
【図２Ｂ】
2020191060.tif 000005
【図３Ａ】
2020191060.tif 000006
【図３Ｂ】
2020191060.tif 000007
【外国語明細書】
2020191060000001.pdf
2020191060000002.pdf
2020191060000003.pdf
2020191060000004.pdf